(57)【要約】【課題】簡単な構成で手軽に目隠しを行うことができる目隠し用囲いを提供する。【解決手段】本発明の目隠し用囲い１は、物品の目隠しをする目隠し用囲い１であって、シート状物１００を湾曲させて筒状に形成される。シート状物１００は、抜き差し部１１０を有し、抜き差し部１１０により抜き差しすることにより、湾曲させて筒状とした状態と筒状とした状態を解除してシート状に戻した状態とを変更自在に構成される。抜き差し部１１０は、突部１１１および該突部１１１が抜き差し可能に形成された孔部１１２からなる。【選択図】図１
2018020882.tif 000002
【特許請求の範囲】
【請求項１】
物品の目隠しをする目隠し用囲いであって、
シート状物を用いて筒状に形成されることを特徴とする目隠し用囲い。
【請求項２】
前記シート状物は、前記筒状とした状態と前記筒状とした状態を解除してシート状に戻した状態とを変更自在に構成されることを特徴とする請求項１に記載の目隠し用囲い。
【請求項３】
前記シート状物は、抜き差し部を有し、前記抜き差し部により抜き差しすることにより、前記筒状とした状態と前記シート状とした状態とを変更自在とすることを特徴とする請求項２に記載の目隠し用囲い。
【請求項４】
前記抜き差し部は、突部および該突部が抜き差し可能に形成された孔部からなることを特徴とする請求項３に記載の目隠し用囲い。
【請求項５】
前記シート状物は、矩形状に形成され、前記突部は、前記矩形状の側辺のうち一方の辺部から所定の幅寸法をもって側方の外方側に延びるように形成され、前記孔部は、前記突部の幅寸法に対応する長孔状に形成されることを特徴とする請求項４に記載の目隠し用囲い。
【請求項６】
前記突部の上端部および／または下端部に上方側および／または下方側に張り出す張り出し部を設けることを特徴とする請求項５に記載の目隠し用囲い。
【請求項７】
前記張り出し部は、前記突部の上端部および／または下端部に設けられた回動軸を介して回動可能に形成され、前記突部側に折り畳み可能に形成されることを特徴とする請求項６に記載の目隠し用囲い。
【請求項８】
前記シート状物は、方眼状のマス目が施されることを特徴とする請求項１乃至請求項７のうちいずれかに記載の目隠し用囲い。
【請求項９】
前記シート状物は、ＰＰ加工が施されていることを特徴とする請求項１乃至請求項８のうちいずれか一項に記載の目隠し用囲い。
【請求項１０】
前記ＰＰ加工は、シート状の紙またはプラスチックの少なくとも表面側に施されることを特徴とする請求項９に記載の目隠し用囲い。
【請求項１１】
前記シート状の紙またはプラスチックは、紙ダンボールまたはプラスチックダンボールとすることを特徴とする請求項１０に記載の目隠し用囲い。
【請求項１２】
前記シート状物は、該シート状物を屈曲させるための屈曲部を有することを特徴とする請求項１乃至請求項１１のうちいずれか一項に記載の目隠し用囲い。
【請求項１３】
前記シート状物は、前記屈曲部を介して折り畳み可能に形成されることを特徴とする請求項１２に記載の目隠し用囲い。
【発明の詳細な説明】
【技術分野】
【０００１】
本発明は、目隠し用囲いに関し、特にシート状物を用いて筒状に形成された目隠し用囲いに関する。
【背景技術】
【０００２】
従来から物品の目隠し用囲いとして様々なものが提案されており、例えば、特許文献１においては、交通事故現場、工事現場、事件現場等で用いられ、複数のパネルを連結金具で折り畳み可能に連結した目隠し用囲いが開示されている。
【先行技術文献】
【特許文献】
【０００３】
【特許文献１】特開２０００−２４０２９２号公報
【発明の概要】
【発明が解決しようとする課題】
【０００４】
ところで、目隠しをしたいものは、上述した事故現場や工事現場で見られるような大掛かりなもののみならず日常の家庭生活においても様々なものがある。例えば、乳幼児がいる家庭においては、ゴミ箱内の汚損したゴミや観葉植物の土を乳幼児が手で触ったり、取り出して散らかすことがあり、ゴミ箱や観葉植物の土の出ている部分（鉢の部分）を目隠ししたいという要望が非常に多い。また、乳幼児がいる家庭においては、使用済のおむつを密閉する容器を常設することがあるが、乳幼児が触ったりすることのないようにこのような容器も目隠ししたいという要望も多い。更に、乳幼児を連れて旅行等する場合にあっては、ホテルや旅館等でも同様に客室のゴミ箱からゴミを取り出して散らかすことがあり、落ち着いて滞在を楽しむことができないこともある。このような場合には、簡単な構成で手軽に目隠しを行うことができる目隠し用囲いの事業者による設置が望まれる。
【０００５】
本発明は、上記事情に鑑みてなされたものであり、簡単な構成で手軽に目隠しを行うことができる目隠し用囲いを提供することを目的とする。
【課題を解決するための手段】
【０００６】
上記目的を達成するために、目隠し用囲いに係る請求項１の発明は、物品の目隠しをする目隠し用囲いであって、シート状物を用いて筒状に形成することを特徴とする。
【０００７】
本発明によれば、シート状物を用いて筒状に形成することとしたので、シート状物を用いて単に筒状とし、筒状の中空内部に物品を置いて目隠しを行うことができる等、簡単な構成で手軽に目隠しを行うことができる。
【０００８】
シート状物は、筒状とした状態と筒状とした状態を解除してシート状に戻した状態とを変更自在に構成されることとすれば、例えば、使用時のみ筒状に形成し、未使用時はシート状として折り畳むことができる等、未使用時に容易にコンパクト化を図ることができる。これにより、乳幼児とともに旅行や外出する際にも携帯することができ、利便性を向上させることができる（請求項２）。
【０００９】
シート状物は、抜き差し部を有し、抜き差し部により抜き差しすることにより、筒状とした状態とシート状に戻した状態とを変更自在とすることとすれば、前記変更を容易に行うことができる（請求項３）。
【００１０】
抜き差し部は、例えば、突部および該突部が抜き差し可能に形成された孔部からなることとすることができる（請求項４）。
【００１１】
シート状物は、矩形状に形成され、突部は、矩形状の側辺のうち一方の辺部から所定の幅寸法をもって側方の外方側に延びるように形成され、孔部は、突部の幅寸法に対応する長孔状に形成されることとすることができる（請求項５）。
【００１２】
突部の上端部および／または下端部に上方側および／または下方側に張り出す張り出し部を設けることとすれば、突部を孔部に差し込んだときに、張り出し部が係止されることにより突部が孔部から抜け出ることを確実に防止することができる（請求項６）。
【００１３】
張り出し部は、突部の上端部および／または下端部に設けられた回動軸を介して回動可能に形成され、突部側に折り畳み可能に形成されることとすれば、突部を孔部に差し込むときには、張り出し部を突部側に折り畳むことにより、張り出し部を干渉させることなく差し込むことができ、突部を孔部に差し込んだ後は、張り出し部を外方側に張り出した状態とすることにより、突部が孔部から抜け出ることを確実に防止することができる（請求項７）。
【００１４】
シート状物は、方眼状のマス目が施されることとすれば、シート状物の大きさ寸法が把握し易くなるとともに、所定の寸法に対応してシート状物を切断することができる。これにより、シート状物の寸法を柔軟に変更することができる（請求項８）。
【００１５】
シート状物は、ＰＰ加工が施されていることとすれば、表面に光沢を施こすことができ、目隠し用囲いの美観を向上させることができるとともに、耐水性にも優れた目隠し用囲いを提供することができる。また、表面が平滑面となるので、目隠し用囲いが汚れた場合にあっても該汚れを容易に拭き取ることができる（請求項９）。
【００１６】
ＰＰ加工は、例えばシート状の紙またはプラスチックの少なくとも表面側に施されることとすることができる（請求項１０）。
【００１７】
シート状の紙またはプラスチックは、紙ダンボールまたはプラスチックダンボールとすることができる（請求項１１）。
【００１８】
シート状物は、該シート状物を屈曲させるための屈曲部を有することとすれば、シート状物を屈曲させながら容易に筒状に形成することができる（請求項１２）。
シート状物は、屈曲部を介して折り畳み可能に形成されることとすれば、更に携帯し易くなり、利便性を更に向上させることができる（請求項１３）。
【発明の効果】
【００１９】
本発明によれば、簡単な構成で手軽に目隠しを行うことができる。
【図面の簡単な説明】
【００２０】
【図１】本発明の第１実施形態に係る目隠し用囲いを形成するシート状物の全体構成を示す平面図である。
【図２】同シート状物を湾曲させて目隠し用囲いを形成した状態を示す斜視図である。
【図３】同シート状物をマス目に対応させて切断した状態を示す平面図である。
【図４】同シート状物の張り出し部を突出部側に折り畳んだ状態を示す平面図である。
【図５】同シート状物の張り出し部を突出部側に折り畳んだ状態を示す側面図である。
【図６】目隠し用囲いの使用方法を説明するための図で、（ａ）は、使用前の状態を示す斜視図、（ｂ）は、使用後の状態を示す斜視図である。
【図７】本発明の第２実施形態に係る目隠し用囲いを形成するシート状物の全体構成を示す平面図である。
【図８】同シート状物に形成された屈曲部の凹溝を示す断面図である。
【図９】同シート状物を屈曲部を介して屈曲させて目隠し用囲いを形成した状態を示す斜視図である。
【図１０】同シート状物を屈曲部を介して折り畳んだ状態を示す斜視図である。
【図１１】本発明の第３実施形態に係る目隠し用囲いの全体構成を示す斜視図である。
【図１２】本発明の第３実施形態に係る別の目隠し用囲いの全体構成を示す斜視図である。
【図１３】本発明の変形例に係る別の目隠し用囲いを形成するシート状物の全体構成を示す図で、（ａ）は、平面図、（ｂ）は屈曲部の凹溝を示す断面図である。
【発明を実施するための形態】
【００２１】
以下、本発明の第１実施形態乃至第３実施形態について図面を参照して詳細に説明する。なお、以下の説明においては、シート状物１００つまり目隠し用囲い１の上方側を上方、下方側を下方、これら上下方向に対し側方側を側方として説明するものとする。
【００２２】
[第１実施形態]
図１は、本発明の第１実施形態に係る物品の目隠しをする目隠し用囲いを形成するシート状物の全体構成を示す平面図、図２は、同シート状物を湾曲させて目隠し用囲いを形成した状態を示す斜視図、図３は、同シート状物をマス目に対応させて切断した状態を示す平面図、図４は、同シート状物の張り出し部を突出部側に折り畳んだ状態を示す平面図、図５は、同シート状物の張り出し部を突出部側に折り畳んだ状態を示す側面図、図６は、目隠し用囲いの使用方法を説明するための斜視図であり、目隠し用囲い１は、シート状物１００を用いて筒状に形成される。
【００２３】
目隠し用囲い１を形成するシート状物１００は、図１に示すように矩形状に形成されており、紙またはプラスチックで形成されている。
【００２４】
より詳しくは、シート状物１００は、シート状の紙またはプラスチックより詳しくはシート状の紙ダンボールまたはプラスチックダンボールの少なくとも表面側にラミネート加工の一つであるＰＰ加工（Ｐｏｌｙ−Ｐｒｏｐｙｌｅｎｅ加工（ポリプロピレン加工））が施されて形成されている（ＰＰ加工は、シート状物１００の表面側のみならず裏面側にも施すこととしても良い）。またシート状物１００は、抗菌性または防臭性を有する材料を施して形成されている。
【００２５】
更に、シート状物１００は、図２に示す湾曲させて筒状とした状態と筒状とした状態を解除して図１に示すシート状に戻した状態とを変更自在に構成されている。すなわち、シート状物１００は、抜き差し部１１０を有し、抜き差し部１１０により抜き差しすることにより、湾曲させて筒状とした状態とシート状に戻した状態とを変更自在な構成となっている。
【００２６】
抜き差し部１１０は、突部１１１および該突部１１１が抜き差し可能に形成された孔部１１２からなる。
【００２７】
すなわち、突部１１１は、矩形状の側辺のうち一方の辺部１００ａから所定の幅寸法をもって側方の外方側に延びるように形成されている。この突部１１１の上端部および下端部には、上方側および下方側に矩形状に張り出す張り出し部１１１ａが設けられている。張り出し部１１１ａは、突部１１１の上端部および下端部に設けられた回動軸１１１ｂを介して回動可能に形成され、突部１１１側に折り畳み可能に形成されている。孔部１１２は、突部１１１の幅寸法および厚み寸法に対応する長孔状に形成、より詳しくは、突部１１１および突部１１１側に折り畳まれたときの張り出し部１１１ａの幅寸法と厚み寸法に対応する長孔状に形成されている。
【００２８】
突部１１１（張り出し部１１１ａおよび回動軸１１１ｂを含む）および孔部１１２は、湾曲させる方向に対し交差する方向より詳しくは直交する方向に沿って複数並べて設けられており、孔部１１２は、更に湾曲させる方向に沿って複数並べて設けられている。
【００２９】
ここで、シート状物１００には、方眼状のマス目１４０が施されており、方眼状のマス目１４０は、湾曲させる方向に沿って施される直線１６０と湾曲させる方向に対し直交する方向に沿って施される直線１５０を交差させて形成されている。方眼状のマス目１４０は、予め寸法が設定された正方形に形成されている。このように、シート状物１００に方眼状のマス目１４０を施すことにより、シート状物１００の大きさ寸法が把握し易くなるとともに、図３に示すように、所定の寸法に対応してシート状物１００を容易に切断することができる。これにより、シート状物１００の寸法を柔軟に変更することができる。なお、シート状物１００には、文字、図形、記号、模様、若しくは写真が施されることとしてもよい。また、シート状物１００は、無地としても勿論構わない。
【００３０】
このように構成された目隠し用囲い１は、図４および図５に示すように、まず突部１１１の上端部および下端部に設けられた張り出し部１１１ａを回動させて内側つまり突出部１１１側に折り畳んだ状態とする。次いで、シート状物１００を湾曲させて張り出し部１１１ａを折り畳んだ状態の突部１１１を孔部１１２に差し込んで筒状として中空部１００ｃを形成する（図６（ａ））。次に、目隠しをしたいゴミ箱等の物品の上方から被せるようにして物品を囲い、目隠し用囲い１の中空部１００ｃの内部に物品を置く。これにより、同物品の目隠しを行うことができる（図６（ｂ））。
【００３１】
以上説明したように、本発明によれば、シート状物１００を用いて目隠し用囲い１を筒状に形成することとしたので、シート状物１００を単に湾曲させて筒状とし、筒状の中空部１００ｃの内部に物品を置いて目隠しを行うことができる等、簡単な構成で簡易的に手軽に目隠しを行うことができる。
【００３２】
また、シート状物１００は、筒状とした状態と筒状とした状態を解除してシート状に戻した状態とを変更自在に構成されることとしたので、例えば、使用時のみ筒状に形成し、未使用時はシート状として折り畳むことができる等、未使用時に容易にコンパクト化を図ることができる。これにより、乳幼児とともに旅行や外出する際にも携帯することができ、利便性を向上させることができる。
【００３３】
更にシート状物１００は、抜き差し部１１０を有し、抜き差し部１１０により抜き差しすることにより、筒状とした状態とシート状に戻した状態とを変更自在とすることとしたので、前記変更を容易に行うことができる。
【００３４】
更にまた、抜き差し部１１０は、突部１１１および該突部１１１が抜き差し可能に形成された孔部１１２からなり、突部１１１および孔部１１２は、湾曲させる方向に対し交差する方向に沿って複数並べて設けられることとしたので、複数の箇所で差し込みを行うことができ、筒状とした状態を安定して保持することが可能となる。
【００３５】
また更に、孔部１１２は、更に湾曲させる方向に沿って複数並べて設けられることとしたので、筒状としたときの寸法を自在に変更することができる。
【００３６】
また、突部１１１の上端部および下端部に上方側および下方側に張り出す張り出し部１１１ａを設けることとしたので、突部１１１を孔部１１２に差し込んだときに、張り出し部１１１ａが孔部１１２に係止されることにより突部１１１が孔部１１２から抜け出ることを確実に防止することができる。
【００３７】
なお、張り出し部１１１ａは、突部１１１の上端部および下端部に設けられた回動軸１１１ｂを介して回動可能に形成され、突部１１１側に折り畳み可能に形成されることとしたので、突部１１１を孔部１１２に差し込むときには、張り出し部１１１ａを突部１１１側に折り畳むことにより、張り出し部１１１ａを干渉させることなく差し込むことができ、突部１１１を孔部１１２に差し込んだ後は、張り出し部１１１ａを外方側に張り出した状態とすることにより、突部１１１が孔部１１２から抜け出ることを確実に防止することができる。
【００３８】
また、シート状物１００は、文字、図形、記号、模様、若しくは写真を施すこととしたので、目隠し用囲いのデザイン性を向上させることができる。
【００３９】
更に、シート状物１００は、ＰＰ加工が施されていることとしたので、表面に光沢を施こすことができ、目隠し用囲い１の美観を向上させることができるとともに、耐水性にも優れた目隠し用囲い１を提供することができる。また、表面が平滑面となるので、目隠し用囲い１が汚れた場合にあっても該汚れを容易に拭き取ることができる。
【００４０】
更にまた、シート状物１００は、抗菌性または防臭性を有する材料で形成されることとしたので、衛生的にも優れた目隠し用囲い１を提供することができる。
【００４１】
[第２実施形態]
次に本発明の第２実施形態について図７乃至図１０を参照して詳細に説明する。なお、本第２実施形態の説明においては、上述した第１実施形態と同一の符号が付された構成については同一の構成であるとしてその説明を省略することがあるものとする。
【００４２】
本第２実施形態における目隠し用囲い２は、図７に示すように、該シート状物２００を屈曲させるための屈曲部３００を有している。
【００４３】
すなわち、屈曲部３００は、湾曲させる方向（湾曲させる方向は、正確には屈曲させる方向、以下同じ）に対し交差する方向に沿って直線状に形成されており、交差する方向は、湾曲させる方向に対し直交する方向とすることとしている。屈曲部３００は、図８に示すように、シート状物３００の表面側に凹状に形成された凹溝３００ａを有して構成されている。これにより、図９に示すように、シート状物２００を屈曲部３００を介して屈曲させながら容易に筒状に形成することができる。また、シート状物２００は、図１０に示すように、屈曲部３００を介して折り畳み可能に形成されている。これにより、本第２実施形態の目隠し用囲い２は、更に携帯し易くなり、利便性を更に向上させることができる。なお、本第２実施形態における屈曲部３００の凹溝３００ａは、単にシート状物２００の厚み方向の中間部に達する切り込みとしても所要の効果を奏する。
【００４４】
[第３実施形態]
次に本発明の第３実施形態について図１１および図１２を参照して詳細に説明する。なお、本第３実施形態の説明においては、上述した第１実施形態および第２実施形態と同一の符号が付された構成については同一の構成であるとしてその説明を省略することがあるものとする。
【００４５】
本第３実施形態における目隠し用囲い３ａ，３ｂは、図１１および図１２に示すように、蓋体３ａ´，３ｂ´を設けることとして、目隠し用囲い３ａ，３ｂの内部を更に覆い隠す構成とすることとしている。この蓋体３ａ´，３ｂ´は、回動軸３ａ´´，３ｂ´´を介して、シート状物３０１ａ，３０１ｂに回動可能に予め取り付けられ、つまり蓋体３ａ´，３ｂ´は、シート状物３０１ａ，３０１ｂと分離しておらず一体に形成され、目隠し用囲い３ａ，３ｂの上端部を開閉可能な構成となっている。これにより、本第３実施形態においては、目隠し用囲い３ａ，３ｂの内部を更に確実に目隠しすることが可能となる。
【００４６】
なお、本発明は上述した第１実施形態乃至第３実施形態に限定されることなく種々の変更実施または応用実施が可能であることは勿論である。
例えば、上述した第１実施形態乃至第３実施形態においては、張り出し部１１１ａは、突部１１１の上端部および下端部のいずれにも設けることとしているがいずれか一方に設けることとしても所要の効果を奏する（張り出し部１１１ａは、突部１１１の上端部または下端部に回動軸１１１ｂを介して上方側または下方側に張り出すように設けることとしても所要の効果を奏する）。
【００４７】
また、上述した第１実施形態乃至第３実施形態にあっては、張り出し部１１１ａは、矩形状に形成することとしているが、図１３に示すように、単に棒状に突出して張り出す張り出し部１１１ａ´として形成することとしても所要の効果を奏する（図１３においては、第２実施形態の矩形状の張り出し部１１１ａに代えて棒状の張り出し部１１１ａ´とすることとしているが、第１実施形態および第３実施形態においても同様に棒状の張り出し部１１１ａ´を採用可能であることは勿論である）。
【産業上の利用可能性】
【００４８】
本発明は、簡単な構成で手軽に目隠しを行うことができる目隠し用囲いを提供し、新たな需要を喚起し各種の業界の発展に寄与する。
【符号の説明】
【００４９】
１：目隠し用囲い
２：目隠し用囲い
３ａ，３ｂ：目隠し用囲い
３ａ´，３ｂ´：蓋体
３ａ´´，３ｂ´´：回動軸
１００：シート状物
１００ａ：辺部
１００ｂ：他辺部
１００ｃ：中空部
１１０：抜き差し部
１１１：突部
１１１ａ：張り出し部
１１１ａ´：張り出し部
１１１ｂ：回動軸
１１２：孔部
１４０：方眼状のマス目
１５０：湾曲させる方向に対し直交する方向に沿って施される直線
１６０：湾曲させる方向に沿って施される直線
２００：シート状物
３００：屈曲部
３００ａ：凹溝
３０１ａ：シート状物
３０１ｂ：シート状物
【図１】
2018020882.tif 000003
【図２】
2018020882.tif 000004
【図３】
2018020882.tif 000005
【図４】
2018020882.tif 000006
【図５】
2018020882.tif 000007
【図６】
2018020882.tif 000008
【図７】
2018020882.tif 000009
【図８】
2018020882.tif 000010
【図９】
2018020882.tif 000011
【図１０】
2018020882.tif 000012
【図１１】
2018020882.tif 000013
【図１２】
2018020882.tif 000014
【図１３】
2018020882.tif 000015